(57)【特許請求の範囲】
【請求項１】
地面(2) 側に敷設された前後一対のガイドレール(3) に、該ガイドレール(3) の長手方向に沿って係合溝(10)を設け、門扉本体(5) 〜(7) の下部の前後両側に、前記各ガイドレール(3) に沿って走行する車輪(20)と、この車輪(20)を支持する車輪ブラケット(19)に装着され且つ前記係合溝(10)に係合可能な転倒防止用の係合具(21)とを備えた門扉の転倒防止装置において、前記各ガイドレール(3) は前記車輪(20)が転動する車輪転動部(8) と、該車輪転動部(8) の外側に設けられた立面部(11)と、該立面部(11)の下側で内側に凹入する前記係合溝(10)とを長手方向に備え、前記各車輪ブラケット(19)の前記車輪(20)の外側に、該車輪ブラケット(19)に対して縦軸(32)を上下調整可能に設け、該縦軸(32)に、前記立面部(11)に側面から当接可能な横ずれ防止用のガイドローラ(22)と、該ガイドローラ(22)の下側に配置された前記係合具(21)とを縦軸心廻りに回転自在に設けたことを特徴とする門扉の転倒防止装置。
【発明の詳細な説明】
【０００１】
【発明の属する技術分野】
本発明は、伸縮式門扉、複連引き戸式門扉等の門扉の転倒防止装置に関するものである。
【０００２】
【従来の技術】
伸縮式門扉等における転倒防止装置には、従来、特開平１０−８２２６３号公報に記載されるように、地面側に敷設された前後一対のガイドレールに、その長手方向に沿って係合溝を設け、門扉本体の下部の前後両側の車輪ブラケットに、各ガイドレールに沿って走行する車輪と、係合溝に外側から係合可能な係合具とを設けると共に、各ガイドレールの係合溝の上側に、このガイドレールの長手方向に沿って立面部を設け、この立面部に外上側から当接して案内されるテーパー状の横ずれ防止用のガイド輪を車輪の支軸により回転自在に取り付けたものがある。
【０００３】
【発明が解決しようとする課題】
従来の転倒防止装置では、立面部側が小径となるテーパー状のガイド輪を車輪の支軸により回転自在に取り付けているので、前後方向への横ずれ等によってガイド輪がガイドレールの立面部上に当接すると、ガイド輪が立面部の上側に乗り上げてしまい、車輪がガイドレールの車輪転動部から浮き上がって、門扉本体の開閉が非常に重たくなると言う問題がある。
【０００４】
またガイド輪がガイドレールの立面部上に乗り上げた場合には、係合具がガイドレールの係合溝に下側から係合して、ガイド輪と係合具との間にガイドレールの立面部側が咬み込んでしまい、単に門扉本体の開閉が重たくなるばかりでなく、ガイド輪、係合具が変形又は損傷するような惧れもある。
【０００５】
更に従来の転倒防止装置では、車輪ブラケットに車輪、係合具及びガイド輪を上下調整不能に設けており、施工時又は使用中にそれらの位置を相対的に上下方向に調整することはできないと言う欠点がある。
【０００６】
本発明は、このような従来の問題点に鑑み、施工時、使用中等に車輪と係合具との相対的上下位置を容易に調整できると共に、門扉本体の開閉時に横ずれを防止しながら軽く円滑に開閉でき、更に開閉時の咬み込み等による損傷を防止できる門扉の転倒防止装置を提供することを目的とする。
【０００７】
【課題を解決するための手段】
本発明は、地面2 側に敷設された前後一対のガイドレール3 に、該ガイドレール3 の長手方向に沿って係合溝10を設け、門扉本体5 〜7 の下部の前後両側に、前記各ガイドレール3 に沿って走行する車輪20と、この車輪20を支持する車輪ブラケット19に装着され且つ前記係合溝10に係合可能な転倒防止用の係合具21とを備えた門扉の転倒防止装置において、前記各ガイドレール3 は前記車輪20が転動する車輪転動部8 と、該車輪転動部8 の外側に設けられた立面部11と、該立面部11の下側で内側に凹入する前記係合溝10とを長手方向に備え、前記各車輪ブラケット19の前記車輪20の外側に、該車輪ブラケット19に対して縦軸32を上下調整可能に設け、該縦軸32に、前記立面部11に側面から当接可能な横ずれ防止用のガイドローラ22と、該ガイドローラ22の下側に配置された前記係合具21とを縦軸心廻りに回転自在に設けたものである。
【０００８】
【発明の実施の形態】
以下、本発明の実施形態を図面に基づいて詳述する。
【０００９】
図１〜図５は複連引き戸式門扉に採用した本発明の第１の実施形態を例示する。複連引き戸式門扉は、図１及び図２に示すように、出入口1 の内側で地面2 に左右方向に敷設された前後一対のガイドレール3 と、ガイドレール3 の左右方向の一端側で地面2 に立設された戸当たり支柱4 と、ガイドレール3 に沿って走行し且つ左右方向に伸縮自在に連結された複数個、例えば３個の門扉本体5 〜7 とを備えている。
【００１０】
各ガイドレール３  は、図３に示すように、車輪転動部８  、底板部９  、係合溝１０及び立面部１１を長手方向の略全長に一体に備え、前後の各ガイドレール３  は連結材３ａにより連結されている。車輪転動部８  は上部に、底板部９  は下部に夫々水平状に設けられ、その車輪転動部８  の外端側と底板部９  の内端側との間に、立面部１１が上側で外向きとなり、係合溝１０がその下側で内側に凹入するように上下に設けられている。なお、前後のガイドレール３  間には、車輪転動部８  と面一状にモルタル等の充填材１２が充填されており、またガイドレール３  の底板部９  上側には、このガイドレール３  と地面２  との間に溝部１３が形成されている。
【００１１】
３個の門扉本体５  〜７  は左右方向の扉体１４を夫々備え、その各扉体１４は出入口１  を閉じたときに戸当たり支柱４  とは反対側に位置する門扉本体５  が前側となり、戸当たり支柱４  側に位置する門扉本体７  が後側となるように、前後方向に近接して配置されている。なお、３個の門扉本体５  〜７  は、出入口１  を開放するときに、戸当たり支柱４  と反対側で塀等の内側に収縮状態に格納されるようになっている。
【００１２】
門扉本体５  は、扉体１４の左右方向の両端側の下部に前後方向に配置された台車枠１５と、この台車枠１５上に固定された門形の支持枠１６とを備え、これらによって扉体１４が支持されている。門扉本体６，７  は、扉体１４の戸当たり支柱４  側の下部に前後方向に配置された台車枠１５と、この台車枠１５上に固定された門形の支持枠１６とを備え、これらによって扉体１４の一端側が支持されている。門扉本体６，７  の扉体１４の他端側は、その前側にある各門扉本体５，６  の扉体１４の下部側に伸縮自在に連結されている。
【００１３】
なお、門扉本体７  には、扉体１４の戸当たり支柱４  側の端部に戸当たり枠１７が設けられ、この戸当たり枠１７に開閉用の把手１８と施錠ラッチ等が設けられており、各門扉本体５  〜７  をガイドレール３  に沿って開閉するときに、この門扉本体７  の把手１８を把持して開閉方向に操作するようになっている。
【００１４】
各台車枠１５の前後両端部には、図３〜図５に示すように、車輪ブラケット１９を介して走行用の車輪２０と転倒防止用の係合具２１と横ずれ防止用のガイドローラ２２とが略対称に設けられている。
【００１５】
車輪ブラケット１９は、支持枠１６の下部側の外側面に沿って設けられた取り付け部２３と、この取り付け部２３の下端から台車枠１５の端面に沿って下方に伸びる内脚部２４と、取り付け部２３の下端から下方に逆Ｌ字状に伸び且つ内脚部２４の外側に所定の間隔を置いて配置された外脚部２５とを備え、その内脚部２４と外脚部２５との間に、両者に跨がって支架された車軸２６により車輪２０が回転自在に軸支されている。車輪２０は、ガイドレール３  の車輪転動部８  上に配置され、門扉本体５  〜７  の開閉時に車輪転動部８  上を左右方向に転動するようになっている。
【００１６】
取り付け部２３は上下方向の長孔２７を上下に２個備え、この長孔２７に挿通されたボルト２８により支持枠１６に上下調整可能に固定されている。ボルト２８は支持枠１６の下部に挿入された固定金具２９に螺合され、また固定金具２９は支持枠１６の取り付け用であって、台車枠１５の端部上に固定されている。
【００１７】
内脚部２４は左右両側に上下方向の長孔３０を備え、この長孔３０に挿通されたネジ３１により台車枠１５に上下調整可能に固定されている。従って、車輪ブラケット１９は、長孔２７，３０  の範囲内で門扉本体５  〜７  に対して上下調整可能である。
【００１８】
係合具２１及びガイドローラ２２は、ガイドレール３  の底板部９  の上方で係合溝１０及び立面部１１の外側に所定の間隔を置いて、係合溝１０及び立面部１１と前後方向に相対応するように配置され、縦軸３２及び保持ブラケット３３を介して車輪ブラケット１９の外脚部２５側に上下調整可能に装着されている。
【００１９】
係合具２１は、縦軸３２の下端部にその縦軸心廻りに回転自在に遊嵌された円板により構成され、門扉本体５  〜７  に転倒方向の外力が作用したときに、ガイドレール３  の係合溝１０に係合して門扉本体５  〜７  の転倒を防止するように、係合溝１０に対して外側から係合可能になっている。なお、係合具２１は、通常、係合溝１０の上下方向の略中央にあり、ガイドレール３  と接触しないようになっている。また係合具２１は、縦軸３２に螺合された止めネジにより抜け止めされている。
【００２０】
ガイドローラ２２は、係合具２１の上側で縦軸３２にその縦軸心廻りに回転自在に遊嵌された筒体により構成され、ガイドレール３  の立面部１１に外側から当接して門扉本体５  〜７  の横ずれを防止するようになっている。
【００２１】
保持ブラケット３３は、側板部３４の上下から車輪ブラケット１９側に一体に突出する上支持部３５と下支持部３６とを一体に備え、その上支持部３５に取り付け部３７が、下支持部３６に係合部３８が夫々上側に向かって屈曲形成されている。そして、上支持部３５は上下方向の長孔３９を左右に２個備え、車輪ブラケット１９の外脚部２５の外側に添接した状態で、その長孔３９に挿通されたネジ４０により外脚部２５に上下調整可能に固定されている。係合部３８は外脚部２５の下端側に屈曲形成された被係合部４１に内側から上下調整可能に係合されている。従って、保持ブラケット３３は車輪ブラケット１９に対して長孔３９の範囲内で上下調整可能であり、この保持ブラケット３３の車輪ブラケット１９に対する上下調整により、係合具２１及びガイドローラ２２は車輪２０に対して相対的に上下調整可能である。
【００２２】
縦軸３２は、保持ブラケット３３の下支持部３６に挿通されると共に、上端が上支持部３５の下側に当接され、保持ブラケット３３の上支持部３５に上側から挿通されたネジ４２により上支持部３５に締結し固定されている。なお、保持ブラケット３３の上側にはカバー４３が着脱自在に装着されている。縦軸３２には上下の支持部３５，３６  間にその間隔を規制するパイプ４４が套嵌されている。
【００２３】
上記構成の複連引き戸式門扉において、出入口１  を開閉する場合には、把手１８を把持して各門扉本体５  〜７  を左右方向に操作する。すると各門扉本体５  〜７  の車輪２０がガイドレール３  の車輪転動部８  上を転動して、各門扉本体５  〜７  がガイドレール３  に沿って左右方向に走行し開閉する。
【００２４】
このとき各門扉本体５  〜７  の台車枠１５の前後両端側にガイドローラ２２があり、この各ガイドローラ２２がガイドレール３  の立面部１１と相対向しているので、このガイドローラ２２が立面部１１に接触することにより、門扉本体５  〜７  の横ずれを確実に防止することができる。
【００２５】
また各ガイドローラ２２は縦軸３２の縦軸心廻りに回転自在になっており、門扉本体５  〜７  の走行中に立面部１１に当接すれば、ガイドローラ２２が縦軸３２の縦軸心廻りに回転する。従って、門扉本体５  〜７  の走行中にガイドローラ２２が立面部１１に接触しても、立面部１１とガイドローラ２２との間で小さい転がり音が生じる程度であり、滑り接触の場合のような大きな摺動音が発生することはない。
【００２６】
しかもガイドローラ２２が立面部１１に沿って回転するため、比較的小さい転がり抵抗が生じるだけであり、門扉本体５  〜７  が軽い操作力で円滑且つ軽快に走行し、門扉を軽く容易に開閉することができる。またガイドレール３  側の立面部１１に対して外側からガイドローラ２２が接触するため、ガイドレール３  とガイドローラ２２との間に咬み込み等が生じることはなく、ガイドレール３  、ガイドローラ２２等の変形、損傷等を未然に防止することができる。
【００２７】
門扉本体５  〜７  に転倒方向の外力が作用した場合には、一方の車輪２０を支点として他方の車輪２０が浮き上がるが、このときには浮き上がり側の係合具２１がガイドレール３  の係合溝１０に下側から係合するため、これによって門扉本体５  〜７  の転倒を防止することができる。また走行中に生じた場合には、係合具２１が係合溝１０に係合しながら縦軸３２の縦軸心廻りに回転するので、小さい転がり抵抗で門扉本体５  〜７  の転倒を防止することができる。
【００２８】
車輪ブラケット１９は門扉本体５  〜７  に対して上下調整可能であり、その車輪ブラケット１９に対して保持ブラケット３３が上下調整可能であるため、複連引き戸式門扉を出入口１  に設置する施工時は勿論のこと、或いは施工後の使用中であっても、門扉本体５  〜７  に対する車輪２０の上下位置を容易に調整でき、また車輪２０に対する係合具２１及びガイドローラ２２の上下位置を容易に調整できる。
【００２９】
即ち、車輪ブラケット１９の取り付け位置を上下に調整すれば、門扉本体５  〜７  の左右の高さ調整が可能である。従って、特に複連引き戸式の場合には、各門扉本体５  〜７  の扉体１４側を摺動構造、その他の連結構造で互いに伸縮自在に連結しているため、各門扉本体５  〜７  の高さ調整が可能であることにより、各門扉本体５  〜７  の高さを一致させて摺動部分の拗れ等を防止することができる。
【００３０】
また保持ブラケット３３の車輪ブラケット１９に対する取り付け位置を上下に調整すれば、車輪２０に対する係合具２１、ガイドローラ２２の相対的な高さが変化する。従って、この調整によって、係合具２１と係合溝１０との関係、ガイドローラ２２と立面部１１との関係を常に最適な状態に保つことが可能であり、係合具２１の係合溝１０に対する不必要な接触等を防止することができる。
【００３１】
保持ブラケット３３は、その上部側の取り付け部３７をネジ４０により車輪ブラケット１９の外脚部２５に上下調整可能に固定し、下部側の係合部３８を外脚部２５の被係合部４１に上下調整可能に係合しているので、両者を上下調整可能にネジ止めする場合に比較して、簡単で小さい構造の保持ブラケット３３を使用しながら、その上下の支持部３５，３６  間の間隔を十分に確保できる。従って、保持ブラケット３３により縦軸３２を確実に支持することが可能であり、縦軸３２の芯ぶれ、倒れ等を容易に防止することができる。
【００３２】
図６は本発明の第２の実施形態を例示し、車輪ブラケット１９の外脚部２５に一体に保持ブラケット３３を設けたものである。保持ブラケット３３は上下一対の支持部３５，３６  を備え、その各支持部３５，３６  は車輪ブラケット１９の外脚部２５から外側に一体に突出形成されている。縦軸３２は下支持部３６に挿通されると共に、上端部のネジ部４５側が上支持部３５に挿通されている。そして、ネジ部４５には上支持部３５の上下両側でナット４６，４７  が螺合され、このナット４６，４７  により縦軸３２が上下調整可能に固定されている。このように車輪ブラケット１９に保持ブラケット３３を一体に成形しても良い。
【００３３】
以上、本発明の各実施形態について詳述したが、本発明はこの各実施形態に限定されるものではない。例えば、ガイドレール３  の底板部９  側を車輪転動部８  とし、この車輪転動部８  上を車輪２０が転動するように構成し、その車輪ブラケット１９の内側に、係合具２１、ガイドローラ２２、縦軸３２及び保持ブラケット３３を配置しても良い。
【００３４】
また実施形態では、縦軸３２を保持ブラケット３３に回転不能に固定し、この縦軸３２に係合具２１とガイドローラ２２とを回転自在に套嵌しているが、係合具２１とガイドローラ２２とを縦軸３２に固定し、縦軸３２を保持ブラケット３３に対して回転自在に設けても良い。
【００３５】
係合具２１は固定しても良い。この場合、係合具２１は円板状に構成して縦軸３２の下部に設ける必要はなく、角形、その他の形状に構成することも可能であるし、また保持ブラケット３３を車輪ブラケット１９に上下調整可能にして、その保持ブラケット３３に一体又は別体に係合具２１を固定することも可能である。
【００３６】
その他、本発明は、門扉本体５  〜７  が車輪２０を備え、その門扉本体５  〜７  がガイドレール３  に沿って走行可能なものであれば、各種の門扉に採用可能である。例えば伸縮方向に所定間隔を置いて配置された複数個の縦桟と、この各縦桟を連結するパンタグラフ機構とを備え、開閉時に門扉本体自体が伸縮するようにした伸縮式門扉等でも同様に実施可能である。
【００３７】
【発明の効果】
本発明によれば、地面2 側に敷設された前後一対のガイドレール3 に、該ガイドレール3 の長手方向に沿って係合溝10を設け、門扉本体5 〜7 の下部の前後両側に、各ガイドレール3 に沿って走行する車輪20と、この車輪20を支持する車輪ブラケット19に装着され且つ係合溝10に係合可能な転倒防止用の係合具21とを備えた門扉の転倒防止装置において、各ガイドレール3 は車輪20が転動する車輪転動部8 と、該車輪転動部8 の外側に設けられた立面部11と、該立面部11の下側で内側に凹入する係合溝10とを長手方向に備え、各車輪ブラケット19の車輪20の外側に、該車輪ブラケット19に対して縦軸32を上下調整可能に設け、該縦軸32に、立面部11に側面から当接可能な横ずれ防止用のガイドローラ22と、該ガイドローラ22の下側に配置された係合具21とを縦軸心廻りに回転自在に設けているので、施工時、使用中等に車輪20と係合具21との相対的上下位置を容易に調整できると共に、門扉本体5 〜7 の開閉時に横ずれを防止しながら軽く円滑に開閉でき、更に開閉時の咬み込み等による損傷を未然に防止できる利点がある。
【図面の簡単な説明】
【図１】（Ａ）は本発明の第１の実施形態を示す複連引き戸式門扉の平面図、（Ｂ）はその正面図である。
【図２】本発明の第１の実施形態を示す複連引き戸式門扉の側面図である。
【図３】本発明の第１の実施形態を示す要部の側面断面図である。
【図４】本発明の第１の実施形態を示す要部の正面断面図である。
【図５】本発明の第１の実施形態を示す要部の平面断面図である。
【図６】本発明の第２の実施形態を示す要部の側面断面図である。
【符合の説明】
２      地面
３      ガイドレール
５  〜７      門扉本体
１０    係合溝
１１    立面部
１９    車輪ブラケット
２０    車輪
２１    係合具
２２    ガイドローラ
【図１】
0003586763.tif 000002
【図２】
0003586763.tif 000003
【図３】
0003586763.tif 000004
【図４】
0003586763.tif 000005
【図５】
0003586763.tif 000006
【図６】
0003586763.tif 000007